(57)【要約】【課題】過熱器または再熱器等における蒸気流の温度を低減するのに用いられる過熱低減器において、スプレイノズル設定金物の所定位置への設置作業を簡便かつ迅速に行い、しかも採用部品に摩耗損傷等が生じることもなく不要な振動発生の根拠を断ち、長期間に亘って安定して使用に供することのできるものを提供することを課題とする。【解決手段】スプレイノズルを拘束して所定位置に設定するために同スプレイノズルの先端に固定されたスプレイノズル設定金物は、支持リングを介して支持管台に連結されるので、リングを少し傾けることによりその内周で接合する部材、又は外周で接合する部材と隙間調整が容易にできるという点を利用して、支持リングの外周側と支持管台との接合部、又は支持リングの内周側とスプレイノズルとの接合部での隙間調整を容易に行い、スプレイノズルを所定位置に取り付ける作業を簡素化する。【選択図】　　　　　　図１
2004020152.tif 000002
【特許請求の範囲】
【請求項１】
蒸気中に減温水を噴射して蒸気温度を低下させる過熱低減器において、過熱低減器本体の内部を流れる蒸気の流れに交差して配置されたスプレイノズルと、同スプレイノズルの先端に固定して設けられ同スプレイノズルを拘束して所定位置に設定するためのスプレイノズル設定金物と、前記過熱低減器本体の外面に取り付けられて前記スプレイノズル設定金物を支持する支持管台を有し、同支持管台の内部で前記スプレイノズル設定金物と支持管台を支持リングを介して連結したことを特徴とする過熱低減器。
【請求項２】
前記支持リングは、前記支持管台に遊びが無いように嵌合された後前記スプレイノズル設定金物の先端に一体的に固着されることにより、同スプレイノズル設定金物と支持管台を連結したことを特徴とする請求項１に記載の過熱低減器。
【請求項３】
前記支持リングは、前記スプレイノズル設定金物に遊嵌したまま前記支持管台に遊びが無いように嵌合された後前記スプレイノズル設定金物との遊嵌部で一体的に固着されることにより、同スプレイノズル設定金物と支持管台を連結したことを特徴とする請求項１に記載の過熱低減器。
【請求項４】
前記支持管台は、前記スプレイノズル設定金物を遊嵌する内方に向けて張り出した位置決めフランジを有し、前記支持リングは、前記スプレイノズル設定金物と遊びが無いように嵌合された後前記位置決めフランジに対して一体的に固着されることにより、同スプレイノズル設定金物と支持管台を連結したことを特徴とする請求項１に記載の過熱低減器。
【発明の詳細な説明】
【０００１】
【発明の属する技術分野】
本発明は事業用または産業用ボイラにおいて、過熱器または再熱器等における蒸気流の温度を低減するのに用いられる過熱低減器に関するものである。
【０００２】
【従来の技術】
従来のこの種過熱低減器の概要について、図４及び図５に基づいて説明する。図４は従来の過熱低減器を概略的に示す縦断側面図、図５は図４のＣ部を拡大して示す斜視図である。
【０００３】
０１は過熱低減器本体で、同過熱低減器本体０１は例えばこれを過熱器に組み入れる場合には、過熱器の前後両伝熱面の中間（一次過熱器と二次過熱器の間）等に設置されている。
【０００４】
０２は過熱低減器の主要部位を形成するスプレイノズルで、同スプレイノズル０２は過熱低減器本体０１内を流れる蒸気の流れに対してほぼ直角に交差するように配置され、同蒸気の流れに沿って下流に向けて開口する複数のノズルチップ０３を介して蒸気中に減温水を噴射し、蒸気温度を低下させるように構成されている。
【０００５】
０４はスプレイノズル設定金物で、同スプレイノズル設定金物０４は前記スプレイノズル０２の伸長方向に延びて同スプレイノズル０２の先端に一体的に固定されており、同スプレイノズル設定金物０４が位置決めされることにより前記スプレイノズル０２を拘束し、これを所定位置に設定する役割を負っている。
【０００６】
０７は前記スプレイノズル設定金物０４を支持する支持管台で、過熱低減器本体０１の外面に取り付けられて設けられ、また、同支持管台０７に対向する過熱低減器本体０１の外面には、前記スプレイノズル０２を過熱低減器本体０１に導入するスプレイノズル管台０６が取り付けられている。
【０００７】
従って、スプレイノズル０２はスプレイノズル管台０６から過熱低減器本体０１を縦断し、同スプレイノズル０２の先端に固定されたスプレイノズル設定金物０４を支持管台０７で支持してスプレイノズル０２の所定の位置決めがなされることになる。
【０００８】
この位置決めのために、スプレイノズル設定金物０４はその外周面に、周方向でほぼ９０度間隔はなして四方に突出させた保持用間隔片０５を設け、同保持用間隔片０５が支持管台０７の内周面に当接する部位で同当接の隙間調整を行ってスプレイノズル設定金物０４の位置決めを行い、その結果スプレイノズル０２が所定位置に設定されることになる。
【０００９】
なお、０８はキャップで、前記保持用間隔片０５と支持管台０７の接合を調整してスプレイノズル設定金物０４の位置決めを行った後、支持管台０７の開放端を覆い、溶接０８ａにより支持管台０７と一体化して支持管台０７を密閉するものである。
また、０９は保護筒で、スプレイノズル０２の下流側で過熱低減器本体０１の内面を保護するために設けられたものである。
【００１０】
【発明が解決しようとする課題】
前記のように構成された従来の過熱低減器では、過熱低減器本体０１内におけるスプレイノズル０２の位置決めは、スプレイノズル設定金物０４を保持用間隔片０５を介して支持管台０７に当接させ、この当接部の隙間調整を行って所期の位置決めがなされるものである。
【００１１】
しかしながら、このような従来のものでは、支持管台０７に対するスプレイノズル設定金物０４の設置作業もさることながら、保持用間隔片０５と支持管台０７との隙間調整は極めて難しく、熟練工による高度のスキルをもってしても、時間、工数が多くかかるという問題点を有するものであった。
【００１２】
また、設置した保持用間隔片０５も、隙間を完全にゼロにすることは出来ないので、稼働中スプレイノズル０２に作用する蒸気の流れ力により、保持用間隔片０５が摩耗し、時間の経過と共に隙間が大きくなり、ひいてはこの隙間を原因として振動を発生するに至るという問題点を有するものであった。
【００１３】
本発明はこのような従来の装置における問題点を解消し、スプレイノズル設定金物の所定位置への設置作業を簡便かつ迅速に行い、しかも採用部品に摩耗損傷等が生じることもなく不要な振動発生の根拠を断ち、長期間に亘って安定して使用に供することのできる過熱低減器を提供することを課題とするものである。
【００１４】
【課題を解決するための手段】
本発明は前記した課題を解決すべくなされたもので、その第１の手段として、蒸気中に減温水を噴射して蒸気温度を低下させる過熱低減器において、過熱低減器本体の内部を流れる蒸気の流れに交差して配置されたスプレイノズルと、同スプレイノズルの先端に固定して設けられ同スプレイノズルを拘束して所定位置に設定するためのスプレイノズル設定金物と、前記過熱低減器本体の外面に取り付けられて前記スプレイノズル設定金物を支持する支持管台を有し、同支持管台の内部で前記スプレイノズル設定金物と支持管台を支持リングを介して連結した過熱低減器を提供するものである。
【００１５】
すなわち、同第１の手段によれば、スプレイノズルを拘束して所定位置に設定するために同スプレイノズルの先端に固定されたスプレイノズル設定金物は、支持リングを介して支持管台に連結されるので、リング自体の形状による特性である、同リングを少し傾けることによりその内周で接合する部材、又は外周で接合する部材と隙間調整が容易にできるという点を利用して、例えば支持リングの外周側と支持管台との接合部、又は支持リングの内周側とスプレイノズルとの接合部での隙間調整が容易に行われ、しかもスプレイノズルを所定位置に取り付ける作業が簡素化され、接合部に摩耗等もなく振動発生に至る懸念もない状態にスプレイノズルの位置決めを行うようにするものである。
【００１６】
また、本発明は第２の手段として、前記第１の手段において、前記支持リングは、前記支持管台に遊びが無いように嵌合された後前記スプレイノズル設定金物の先端に一体的に固着されることにより、同スプレイノズル設定金物と支持管台を連結した過熱低減器を提供するものである。
【００１７】
すなわち、同第２の手段によれば、前記スプレイノズル設定金物と支持管台を連結する支持リングは、支持管台に対する接合部で隙間調整を行って遊びが無い状態で同支持管台に嵌合された後に、スプレイノズル設定金物の先端に対して例えば溶接等の手段により一体的に固着されるようにしているので、スプレイノズル設定金物と支持管台との間の間隔が小さい構造の場合であっても、支持リングと支持管台との隙間調整を容易化して両者間の遊びのない嵌合を確保し、この支持リングをスプレイノズル設定金物と溶接等により固着してスプレイノズルの所定位置への取り付けを簡素化し、接合部に摩耗等もなく振動発生に至る懸念もないスプレイノズルの位置決めを行い得るものである。
【００１８】
また、本発明は第３の手段として、前記第１の手段において、前記支持リングは、前記スプレイノズル設定金物に遊嵌したまま前記支持管台に遊びが無いように嵌合された後前記スプレイノズル設定金物との遊嵌部で一体的に固着されることにより、同スプレイノズル設定金物と支持管台を連結した過熱低減器を提供するものである。
【００１９】
すなわち、同第３の手段によれば、前記スプレイノズル設定金物と支持管台を連結する支持リングは、同支持リングにスプレイノズル設定金物を遊嵌して自由度を保持した状態で支持管台との間で隙間調整を行って遊びが無いようにし、しかる後に前記支持リングとスプレイノズル設定金物の遊嵌部で両者を例えば溶接等により一体的に固着されるようにしているので、スプレイノズル設定金物と支持管台との間の間隔に余裕のある構造に適合し、スプレイノズル設定金物に遊嵌した状態で支持リングと支持管台との隙間調整を容易化して両者間に遊びのない嵌合をまず確保し、この状態で支持リングをスプレイノズル設定金物と溶接等により固着してスプレイノズルの所定位置への取り付けを簡素化し、接合部に摩耗等もなく振動発生に至る懸念もないスプレイノズルの位置決めを行い得るものである。
【００２０】
更にまた、本発明は第４の手段として、前記第１の手段において、前記支持管台は、前記スプレイノズル設定金物を遊嵌する内方に向けて張り出した位置決めフランジを有し、前記支持リングは、前記スプレイノズル設定金物と遊びが無いように嵌合された後前記位置決めフランジに対して一体的に固着されることにより、同スプレイノズル設定金物と支持管台を連結した過熱低減器を提供するものである。
【００２１】
すなわち、同第４の手段によれば、過熱低減器本体の外面に取り付けられてスプレイノズル設定金物を支持する支持管台には、内方に向けて張り出してスプレイノズル設定金物を遊嵌する位置決めフランジを設け、また、前記スプレイノズル設定金物と支持管台を連結する支持リングは、スプレイノズル設定金物との間で隙間調整を行って遊びが無いようにし、しかる後に前記位置決めフランジに対して例えば溶接等により一体的に固着されるようにしているので、前記位置決めフランジの存在により支持管台に対するスプレイノズル設定金物の配列は芯合わせ等が容易となり、支持リングとスプレイノズル設定金物との間の隙間調整も容易化して両者間に遊びのない嵌合が確保され、この状態で支持リングを位置決めフランジと溶接等により固着してスプレイノズルの所定位置への取り付けを簡素化し、接合部に摩耗等もなく振動発生に至る懸念もないスプレイノズルの位置決めを行い得るものである。
【００２２】
【発明の実施の形態】
本発明の実施の第１形態について図１に基づいて説明する。
図１は本実施の形態に係る過熱低減器の要部を概略的に示し、（ａ）はその縦断側面図、（ｂ）は（ａ）のＡ−Ａ矢視図である。
【００２３】
なお、本実施の形態は、前記従来のものと基本構造は共通しているので、前記従来の装置において０１〜０９の符号を付して説明した部位のうち、構造が異なる例えば保持用間隔片０５等を除き、共通する部位についてはゼロを外した一桁の符号を付して対応が明瞭になるようにし、共通部位については前記説明を援用し、重複する説明は極力省略するようにした。
【００２４】
すなわち、本実施の形態において、１は過熱低減器本体、２はスプレイノズル、４はスプレイノズル設定金物、７は支持管台を示し、かつ、１０は支持管台７の内部でスプレイノズル設定金物４の先端に取り付けられる支持リングを示している。
【００２５】
ここで支持リング１０は、支持管台７の内周より僅かに小さい寸法のリング外周１０ｄを有しており、同支持リング１０を支持管台７の内部で少し傾けることにより、リング外周１０ｄは支持管台７と隙間調整がなされ、両者間に遊びのない状態で嵌合する。
【００２６】
なお、支持リング１０は、その内周面を一方の内周縁１０ａから他方の内周縁１０ｂに向けて傾斜する面で形成しているので、同支持リング１０の内部には、円錐台形状の空間が形成されている。
【００２７】
前記のように構成部位を有する本実施の形態では、過熱低減器本体１内にスプレイノズル２を設置し、同スプレイノズル２の先端のスプレイノズル設定金物４が支持管台７内に挿入された状態で、スプレイノズル２と支持管台７の芯合わせを行い、同スプレイノズル設定金物４の先端位置で支持リング１０を僅かに傾斜させて支持管台７との間で隙間調整を行う。
【００２８】
すなわち、このように支持リング１０を僅かに傾斜させると、支持リング１０の水平面に対する投影形状は、傾斜のない平坦位置で円形をしていたものがリングの厚みを加味することにより楕円形となり、円形の支持管台７との間の隙間は容易に調整されて支持リング１０は支持管台７に固く嵌合することになる。
【００２９】
この状態で支持リング１０をその内周縁１０ａの位置でスプレイノズル設定金物４に対して溶接１０ｃして固着することにより、スプレイノズル設定金物４は支持管台７に対して強固に固定され、スプレイノズル２の位置が設定されることになる。
【００３０】
しかも前記したように支持リング１０は、その中央の空間に面して形成される内周面で、一方の内周縁１０ａと他方の内周縁１０ｂとの間で勾配が形成されているので、前記溶接１０ｃを行う際に溶接トーチ等の機器を内周縁１０ａに容易に接近することができ、溶接作業は迅速、確実かつ容易となる。
【００３１】
このようにスプレイノズル設定金物４の位置決めがなされたのち、支持管台７の先端にキャップ８が合わせられ、溶接８ａが行われて支持管台７は密封されて過熱低減器が完成する。
【００３２】
かくして本実施の形態によれば、スプレイノズル設定金物４と支持管台７との間の間隔が例え小さい場合であっても、支持リング１０と支持管台７との隙間調整を容易化して両者間に遊びのない嵌合を行い、この支持リング１０をスプレイノズル設定金物４と溶接で固着してスプレイノズル２の所定位置への取り付けを簡素化し、スプレイノズル設定金物４、支持リング１０そして支持管台７と至る系統の接合部に摩耗等もなく、その結果振動発生等の懸念もないスプレイノズル２の好適な位置決めを行い、長期間の使用に耐える信頼性の高い過熱低減器を得ることが出来たものである。
【００３３】
次に本発明の実施の第２形態について図２に基づいて説明する。
図２は本実施の形態に係る過熱低減器の要部を概略的に示し、（ａ）はその縦断側面図、（ｂ）は（ａ）のＢ−Ｂ矢視図である。
【００３４】
なお、本実施の形態は、前記した実施の第１形態のものと基本構造は共通しているので、前記実施の第１形態において説明した部位共通する部位については、それぞれ１０加えた数の符号を付して示し、共通部位については前記説明を援用し、重複する説明は極力省略するようにした。
【００３５】
すなわち、本実施の形態において、１１は過熱低減器本体、１２はスプレイノズル、１４はスプレイノズル設定金物、１７は支持管台、１８はキャップ、１８ａは溶接を示し、かつ、２０は支持管台１７の内部でスプレイノズル設定金物１４に遊嵌した状態で支持管台１７に嵌合される支持リングを示している。
【００３６】
ここで支持リング２０は、支持管台１７の内周より僅かに小さい寸法のリング外周２０ｄで形成されており、同支持リング２０を支持管台１７の内部で少し傾けることにより、リング外周２０ｄは支持管台１７と隙間調整がなされ、両者間に遊びのない状態で嵌合する。
【００３７】
すなわち、支持リング２０をスプレイノズル設定金物１４に遊嵌して自由度を保持した状態で支持リング２０を傾斜させると、平坦位置で円形の投影面は楕円形の投影面となり、円形の支持管台１７との間の隙間は容易に調整されて支持リング２０は支持管台１７に固く嵌合することになるので、支持リング２０のこの特性を利用して支持リング２０と支持管台１７との隙間調整を行って両者間に遊びが無いようにし、しかる後に前記支持リング２０とスプレイノズル設定金物１４の遊嵌部で両者を溶接で一体的に固着する。
【００３８】
このように本実施の形態によれば、スプレイノズル設定金物１４と支持管台１７との間の間隔が余裕のある構造に適合し、支持リング２０と支持管台１７との隙間調整を容易化して両者間の遊びのない嵌合を行い、この支持リング２０をスプレイノズル設定金物１４と溶接で固着してスプレイノズル１２の所定位置への取り付けを簡素化し、スプレイノズル設定金物１４、支持リング２０そして支持管台１７と至る系統の接合部に摩耗等もなく、その結果振動発生等の懸念もないスプレイノズル１２の好適な位置決めを行い、長期間の使用に耐える信頼性の高い過熱低減器を得ることが出来たものである。
【００３９】
次に本発明の実施の第３形態について図３に基づいて説明する。
図３は本実施の形態に係る過熱低減器の要部を概略的に示す縦断側面図である。
【００４０】
なお、本実施の形態は、前記した実施の第１、第２形態のものと基本構造は共通しているので、前記実施の第１又は第２形態において説明した部位と共通する部位については、それぞれ１０又は２０加えた数の符号を付して示し、共通部位については前記説明を援用し、重複する説明は極力省略するようにした。
【００４１】
すなわち、本実施の形態において、２１は過熱低減器本体、２２はスプレイノズル、２３はノズルチップ、２４はスプレイノズル設定金物、２６はスプレイノズル管台、２７は支持管台、２８はキャップ、２８ａは溶接、２９は保護筒、そして３０は支持リングを示し、同支持リング３０は支持管台２７の内部で内方に向けて張り出した位置決めフランジ２７ａと遊嵌するスプレイノズル設定金物２４と隙間調整して嵌合した後、同位置決めフランジ２７ａと連結される構成となっている。
【００４２】
ここで位置決めフランジ２７ａは前記したように支持管台２７の内部で内方に向けて張り出しているので、同位置決めフランジ２７ａに遊嵌するスプレイノズル設定金物２４は芯出し等が容易となり、同芯出しの後スプレイノズル設定金物２４に遊嵌した支持リング３０の内周面と同スプレイノズル設定金物２４との隙間調整を行って両者間に遊びが無いようにし、しかる後に前記支持リング３０と位置決めフランジ２７ａを溶接３０ｃで一体的に固着する。
【００４３】
かくして本実施の形態によれば、内方に向けて張り出した位置決めフランジ２７ａの存在により支持管台２７に対するスプレイノズル設定金物２４の配列は芯合わせ等が容易となり、かつ、支持リング３０とスプレイノズル設定金物２４との隙間調整を容易化して両者間の遊びのない嵌合を行い、この支持リング３０をスプレイノズル設定金物２４と溶接で固着してスプレイノズル２２の所定位置への取り付けを簡素化し、スプレイノズル設定金物２４、支持リング３０そして支持管台２７と至る系統の接合部に摩耗等もなく、その結果振動発生等の懸念もないスプレイノズル２２の好適な位置決めを行い、長期間の使用に耐える信頼性の高い過熱低減器を得ることが出来たものである。
【００４４】
以上、本発明を図示の実施の形態について説明したが、本発明はかかる実施の形態に限定されず、本発明の範囲内でその具体的構造に種々の変更を加えてよいことはいうまでもない。
【００４５】
また、前記実施の第１〜第３形態のそれぞれにおいて、支持リング１０、２０、３０を用いたものを説明したが、例えば実施の第１形態を代表例として説明すれば、万が一支持リング１０の溶接１０ｃの不備、或いは径年劣化等により溶接部が割れたような場合、支持リング１０の原形の形状はいわゆる環状であるため、スプレイノズル設定金物４の存在が邪魔となり、支持リング１０の破片が過熱低減器本体１の内部に入り込むことはなく、同破片が過熱低減器本体１内に入ることで発生する危険性のあるタービンの飛散、タービンブレードの損傷等の重大なトラブルを防止できるという効果を有するものであり、この効果は実施の第２、第３形態における支持リング２０、３０でも同様である。
【００４６】
【発明の効果】
以上、本出願の請求項１に記載の発明によれば、蒸気中に減温水を噴射して蒸気温度を低下させる過熱低減器において、過熱低減器本体の内部を流れる蒸気の流れに交差して配置されたスプレイノズルと、同スプレイノズルの先端に固定して設けられ同スプレイノズルを拘束して所定位置に設定するためのスプレイノズル設定金物と、前記過熱低減器本体の外面に取り付けられて前記スプレイノズル設定金物を支持する支持管台を有し、同支持管台の内部で前記スプレイノズル設定金物と支持管台を支持リングを介して連結して過熱低減器を構成しているので、リング自体の形状による特性である、同リングを少し傾けることによりその内周で接合する部材、又は外周で接合する部材と隙間調整が容易にできるという点を利用して、例えば支持リングの外周側と支持管台との接合部、又は支持リングの内周側とスプレイノズルとの接合部での隙間調整が容易に行われ、しかもスプレイノズルを所定位置に取り付ける作業が簡素化され、接合部に摩耗等もなく振動発生に至る懸念もない状態にスプレイノズルの位置決めを行い、長期間に亘って安定して使用に供する過熱低減器を得ることができたものである。
【００４７】
また、請求項２に記載の発明によれば、前記請求項１に記載の発明において、前記支持リングは、前記支持管台に遊びが無いように嵌合された後前記スプレイノズル設定金物の先端に一体的に固着されることにより、同スプレイノズル設定金物と支持管台を連結して過熱低減器を構成しているので、スプレイノズル設定金物と支持管台との間の間隔が小さい構造の場合であっても、支持リングと支持管台との隙間調整を容易化して両者間の遊びのない嵌合を確保し、この支持リングをスプレイノズル設定金物と溶接等により固着してスプレイノズルの所定位置への取り付けを簡素化し、接合部に摩耗等もなく振動発生に至る懸念もないスプレイノズルの位置決めを行い、長期間に亘って安定して使用に供する過熱低減器を得ることができたものである。
【００４８】
また、請求項３に記載の発明によれば、前記請求項１に記載の発明において、前記支持リングは、前記スプレイノズル設定金物に遊嵌したまま前記支持管台に遊びが無いように嵌合された後前記スプレイノズル設定金物との遊嵌部で一体的に固着されることにより、同スプレイノズル設定金物と支持管台を連結して過熱低減器を構成しているので、スプレイノズル設定金物と支持管台との間の間隔に余裕のある構造に適合し、スプレイノズル設定金物に遊嵌した状態で支持リングと支持管台との隙間調整を容易化して両者間に遊びのない嵌合をまず確保し、この状態で支持リングをスプレイノズル設定金物と溶接等により固着してスプレイノズルの所定位置への取り付けを簡素化し、接合部に摩耗等もなく振動発生に至る懸念もないスプレイノズルの位置決めを行い、長期間に亘って安定して使用に供する過熱低減器を得ることができたものである。
【００４９】
更にまた、請求項４に記載の発明によれば、前記請求項１に記載の発明において、前記支持管台は、前記スプレイノズル設定金物を遊嵌する内方に向けて張り出した位置決めフランジを有し、前記支持リングは、前記スプレイノズル設定金物と遊びが無いように嵌合された後前記位置決めフランジに対して一体的に固着されることにより、同スプレイノズル設定金物と支持管台を連結して過熱低減器を構成しているので、前記位置決めフランジの存在により支持管台に対するスプレイノズル設定金物の配列は芯合わせ等が容易となり、支持リングとスプレイノズル設定金物との間の隙間調整も容易化して両者間に遊びのない嵌合が確保され、この状態で支持リングを位置決めフランジと溶接等により固着してスプレイノズルの所定位置への取り付けを簡素化し、接合部に摩耗等もなく振動発生に至る懸念もないスプレイノズルの位置決めを行い、長期間に亘って安定して使用に供する過熱低減器を得ることができたものである。
【図面の簡単な説明】
【図１】本発明の実施の第１形態に係る過熱低減器の要部を概略的に示し、（ａ）はその縦断側面図、（ｂ）は（ａ）のＡ−Ａ矢視図である。
【図２】本発明の実施の第２形態に係る過熱低減器の要部を概略的に示し、（ａ）はその縦断側面図、（ｂ）は（ａ）のＢ−Ｂ矢視図である。
【図３】本発明の実施の第３形態に係る過熱低減器の要部を概略的に示す縦断側面図である。
【図４】従来の過熱低減器を概略的に示す縦断側面図である。
【図５】図４のＣ部を拡大して示す斜視図である。
【符号の説明】
０１　　　　過熱低減器本体
０２　　　　スプレイノズル
０３　　　　ノズルチップ
０４　　　　スプレイノズル設定金物
０５　　　　保持用間隔片
０６　　　　スプレイノズル管台
０７　　　　支持管台
０８　　　　キャップ
０８ａ　　　溶接
０９　　　　保護筒
１　　　　過熱低減器本体
２　　　　スプレイノズル
４　　　　スプレイノズル設定金物
７　　　　支持管台
８　　　　キャップ
８ａ　　　溶接
１０　　　　支持リング
１０ａ　　　内周縁
１０ｂ　　　内周縁
１０ｃ　　　溶接
１０ｄ　　　リング外周
１１　　　　過熱低減器本体
１２　　　　スプレイノズル
１４　　　　スプレイノズル設定金物
１７　　　　支持管台
１８　　　　キャップ
１８ａ　　　溶接
２０　　　　支持リング
２０ａ　　　内周縁
２０ｃ　　　溶接
２０ｄ　　　リング外周
２１　　　　過熱低減器本体
２２　　　　スプレイノズル
２３　　　　ノズルチップ
２４　　　　スプレイノズル設定金物
２６　　　　スプレイノズル管台
２７　　　　支持管台
２８　　　　キャップ
２８ａ　　　溶接
２９　　　　保護筒
３０　　　　支持リング
３０ｃ　　　溶接
【図１】
2004020152.tif 000003
【図２】
2004020152.tif 000004
【図３】
2004020152.tif 000005
【図４】
2004020152.tif 000006
【図５】
2004020152.tif 000007